(57)【特許請求の範囲】
【請求項１】
指針が揺動して目盛を指し示す車両のアナログ速度計において、
上方に湾曲した円弧と下方に湾曲した円弧により紡錘形状をなす文字板を備え、
前記指針の揺動中心の周囲で前記文字板の下方に湾曲した円弧上に反時計回りに順次大きい数字が示された目盛が表示され、
前記指針の揺動中心を目盛より上方に配置し、
車速の増加に応じて前記指針が前記目盛に沿って反時計回りに揺動することを特徴とする車両のアナログ速度計。
【請求項２】
紡錘形状のインストルメントパネルを備え、
前記インストルメントパネルの紡錘形状は、上下非対称で、上方に湾曲した上側外周縁よりも下方に湾曲した下側外周縁の方が曲率半径が小さいことを特徴とする請求項１または請求項１記載の車両のアナログ速度計。
【請求項３】
前記インストルメントパネルの上方に偏って前記文字板が配設されるとともに、前記インストルメントパネルの下方に紡錘形状をした計器類またはランプ類が配置されることを特徴とする請求項２記載の車両のアナログ速度計。
【請求項４】
前記車両は、ハンドルカバーを備え、
前記ハンドルカバーの湾曲した上端縁に合わせて前記インストルメントパネルの上端縁および前記文字板の上端縁が形成されることを特徴とする請求項２または請求項３記載の車両のアナログ速度計。
【発明の詳細な説明】
【０００１】
【発明の属する技術分野】
本発明は、車両におけるアナログ速度計に関する。
【０００２】
【従来の技術】
従来のアナログ速度計01は、図４に図示するように円形のメータケース02内に張設された円形の文字板03において上方に湾曲した円弧上に目盛04が表示され、目盛04に沿って速度値を代表する数字が表示され、同数字は時計回りに順次大きい数字になっている。
【０００３】
そして文字板03の中心を貫通する回転軸05に基端部を嵌着された指針06が目盛04に沿って揺動する。
車速の増加に伴い指針06は時計回りに揺動する。
【０００４】
【発明が解決しようとする課題】
従来のアナログ速度計は、多少形状が変わっても、皆上記のように増速に応じて指針が上方に湾曲した円弧上の目盛に沿って時計回りに揺動する基本的な構成は変わりない。
したがってメータケースの形状等のバリエーションも種々提案されて新たな造形の自由度が狭くなっており、真新しい斬新な造形が創造し難くなっている。
【０００５】
本発明は、斯かる点に鑑みなされたもので、その目的とする処は、指針の動きの基本構成を変えることで斬新な造形のアナログ速度計を供する点にある。
【０００６】
【課題を解決するための手段及び作用効果】
上記目的を達成するために、本発明は、指針が揺動して目盛を指し示す車両のアナログ速度計において、上方に湾曲した円弧と下方に湾曲した円弧により紡錘形状をなす文字板を備え、前記指針の揺動中心の周囲で前記文字板の下方に湾曲した円弧上に反時計回りに順次大きい数字が示された目盛が表示され、前記指針の揺動中心を目盛より上方に配置し、車速の増加に応じて前記指針が前記目盛に沿って反時計回りに揺動する車両のアナログ速度計とした。
【０００７】
下方に湾曲した円弧上の目盛に沿って指針が増速に応じて反時計回りに揺動する今までにない構成であるので、メータケースの形状を含めアナログ速度計としての造形の自由度が大きく、斬新なアナログ速度計を提供することができる。
【０００８】
【発明の実施の形態】
以下本発明に係る一実施の形態について図１ないし図３に基づき説明する。
本実施の形態に係るアナログ速度計40は、スクータ型の自動二輪車１に適用したものであり、該自動二輪車１の全体側面図を図１に、前面図を図２に示す。
【０００９】
自動二輪車１は、相互にボルト２により連結されたフロントフレーム３とリヤフレム４とからなるメインフレームを有し、フロントフレーム３の前部には、前輪５を懸架するフロントサスペンション機構及び前輪５を操舵するステアリング機構が設けられ、リヤフレーム４の前方の背後には、後輪６を駆動するパワーユニット７が設けられ、リヤフレーム４の後部には、後輪６を懸架するリヤサスペンション機構が設けられ、さらにリヤフレーム４の前方上部には、シート８が設けられている。
【００１０】
車体の前方から後方へ順にフロントフェンダ９、フロントカバー10、レッグシールド11、インナカバー12、ステップフロア13、フレームボディカバー14及びリヤフェンダ15が取り付けられ、フロアステップ13の左右には、一対のサイドカバー16が設けられている。
【００１１】
シート８の下方のフレームボディカバー14の内部には、ヘルメット等を収納する収納ボックス17が設けられている。
フロントカバー10の上部中央に前照灯18が設けられ、レッグシールド11の左右シールド部の上部で前照灯18の左右後方位置にそれぞれ方向指示灯19が配設されている。
【００１２】
ステアリング機構は、フロントフレーム３の上端部に取り付けられたヘッドパイプ20にハンドルポスト21が回動自在に支持され、ハンドルポスト21の上端部にハンドルバー22が固着されて左右に展開しており、ハンドルポスト21の下端部の支軸に上下方向に揺動自在にステアリングアーム23が支持され、ステアリングアーム23の下端がリンク機構24を介して前輪５の車軸ホルダ25のアーム25ａに連結されている。
【００１３】
ハンドルバー22の中央部を合成樹脂製のハンドルカバー31が覆っており、同ハンドルカバー31にアナログ速度計40等の計器類が配設されている。
図３は該自動二輪車１のハンドルカバー31を運転者から見た図である。
【００１４】
ハンドルバー22を覆うハンドルカバー31の中央部に左右幅方向に大きくメータケース32が嵌め込まれている。
メータケース32は、正面視で概ね紡錘形状をしており、インストルメントパネル33が概ね紡錘形状に張設されている。
【００１５】
この紡錘形状は上下非対称で、インストルメントパネル33の上方に湾曲した上側外周縁33ａよりも下方に湾曲した下側外周縁33ｂの方が曲率半径が小さい。
インストルメントパネル33の上側外周縁33ａは、ハンドルカバー31の上端縁に沿って平行に湾曲している。
【００１６】
インストルメントパネル33に、やはりインストルメントパネル33と同じ紡錘形状をして一回り小さくした大きさのアナログ速度計40が上方に偏ってインストルメントパネル33の大半を占めて配設されている。
【００１７】
インストルメントパネル33においてアナログ速度計40が上方に偏った分下方に形成された円弧状のスペースには、左側に紡錘形状をした燃料計34が配置され、右側にやはり紡錘形状をした水温計35が配置されており、燃料計34と水温計35との間には各種ランプ類36が配列されている。
【００１８】
アナログ速度計40は、紡錘形状の文字板41の上側外周縁41ａがインストルメントパネル33の上側外周縁33ａに沿っており、文字板41の上側外周縁41ａよりも曲率半径が小さい下側外周縁41ｂに沿って目盛42と速度値を代表する数字が表示されている。
【００１９】
したがって下方に湾曲した円弧上に目盛42が表示されており、目盛42に表示された数字は反時計回りに順次大きい数字になっている。
そして文字板41の上側外周縁41ａに沿った中央を貫通した回転軸45に基端部を嵌着して指針46が設けられている。
指針46は、回転軸45より下方を揺動し、車速の増加に伴い反時計回りに揺動する。
【００２０】
下方に湾曲した円弧上の目盛42に沿って指針46が増速に応じて反時計回りに揺動する今までにない速度計の構成であり、そのため図３に示すようにメータケース11をユニークな形状としてアナログ速度計40全体の造形も斬新なものとすることができる。
【００２１】
以上の実施の形態のアナログ速度計40のほかに、種々の斬新な造形のアナログ速度計が考えられる。
このようにメータケースの形状を含めアナログ速度計としての造形の自由度が大きく、斬新なアナログ速度計を容易に提供することができる。
【００２２】
また本アナログ速度計40は自動二輪車１のハンドルカバー31に嵌め込まれたメータケース32のインストルメントパネル33に設けられており、ハンドルカバー１の若干湾曲した上端縁に合わせてインストルメントパネル33の上端縁33ａ及びアナログ速度計40の文字板41の上端縁41ａが形成され、文字板41の下端縁41ｂの方を曲率半径の小さい円弧として、この下端縁41ｂに沿って目盛42が表示されているので、曲率半径の小さい円弧上に目盛42があり、揺動する指針46が指示する目盛を左右端（低速値と高速値）でも読み易くできる。
【００２３】
このように直線ないし若干湾曲したような上端縁に下方から沿わせるようにしてアナログ速度計を配設する場合には、指針が増速に応じて下方を反時計回りに揺動する構成のものは、指針が指示する目盛を読み取り易くすることができる。
【００２４】
なお本インストルメントパネル33に設けられた燃料計34と水温計35の指針34ａ，35ａも回転軸が上方にあって下方に湾曲した円弧上の目盛に沿って揺動するタイプでアナログ速度計40と同じにしてデザイン上の統一を意図し外観の向上を図っている。
【図面の簡単な説明】
【図１】本発明の一実施の形態に係るアナログ速度計を適用した自動二輪車の全体側面図である。
【図２】同前面図である。
【図３】同自動二輪車のハンドルカバーにおけるインストルメントパネルの正面図である。
【図４】従来のアナログ速度計の正面図である。
【符号の説明】
１…自動二輪車、２…ボルト、３…フロントフレーム、４…リヤフレーム、５前輪、６…後輪、７…パワーユニット、８…シート、
９…フロントフェンダ、10…フロントカバー、11…レッグシールド、12…インナカバー、13…ステップフロア、14…フレームボディカバー、15…リヤフェンダ、16…サイドカバー、17…収納ボックス、18…前照灯、19…方向指示灯、
20…ヘッドパイプ、21…ハンドルポスト、22…ハンドルバー、23…ステアリングアーム、24…リンク機構、25…車軸ホルダー、
31…ハンドルカバー、32…メータケース、33…インストルメントパネル、34…燃料計、35…水温計、36…ランプ類、
40…アナログ速度計、41…文字板、42…目盛、45…回転軸、46…指針。
【図１】
0004712145.tif 000002
【図２】
0004712145.tif 000003
【図３】
0004712145.tif 000004
【図４】
0004712145.tif 000005